(57)【要約】 【課題】好適な情報オーサリングシステムを提供すること。【解決手段】情報オブジェクトオーサリングおよび配信システム（図１Ａ）は、固有に特定された不変の化学物質等安全データシートの集中レポジトリ（Ｍ１）を使用することによって、価値を付加した化学物質等安全データシートを提供するように機能する。本システムは、インターネット型（１０３）パラダイム、および固有に特定された不変のデータ要素の集中レポジトリ（Ｍ１）を使用することによって、価値を付加した化学物質等安全データシートを自動的にオーサリングし、保存し、および配信する。情報オブジェクトオーサリングおよび配信システム（図１Ａ）は一組のソフトウェアモジュールを提供する。【選択図】図１Ｂ
2012059306.tif 000002
【特許請求の範囲】
【請求項１】
明細書に記載の発明。
【発明の詳細な説明】
【背景技術】
【０００１】
（発明の分野）
本発明は、ドキュメントを自動的にオーサリングし、配信するシステムに関し、薬品製造業界で用いられている化学物質等安全データシート等の不変の内容を含む情報オブジェクトを加入者が効率よくオーサリング、保存、かつ配信することが可能なシステムに関する。
【発明の概要】
【発明が解決しようとする課題】
【０００２】
不変のデータを含む情報オブジェクトをオーサリングし、保存し、かつ配信することが、情報配信の分野における問題である。情報オブジェクトの例は、該当する関係官庁の条例を順守して生成された、薬品製造業界の化学物質等安全データシートである。現在、このプロセスはペーパーベースであり、薬品の流通業者／ユーザのみならず薬品製造業者も、化学物質等安全データシートの場合、かなりの経費が必要である。
【０００３】
化学物質等安全データシートは、特定の化学製品に関する情報の集積からなる。この情報は、一般に、薬品製造業者、取引名および他の識別情報、さまざまな肉体的および健康的特徴、化学物質の貯蔵、輸送、出荷および処分に携わる労働者の健康および安全に関する要領、ならびに、化学物質の排出または化学物質による損傷の場合の緊急対応に関する、要領および医療情報を定義する。化学物質等安全データシートのフォーマットおよび内容は、さまざまな監督官庁から、一般的で不統一な様式で指定されている。化学物質等安全データシートは、各薬品製造業者によって、各製造薬品物質に対して、発行および更新されなければならない。
【０００４】
これらのドキュメントは、現在、ペーパーベースのフォーマット（スキャンされた画像を含む）で配信され、保存するには、大規模な資源が必要である。さらに、たとえ同等か、または、同質の製品が他の薬品製造業者によって製造されても、各製造業者が化学物質等安全データシートを彼らの製造した各製品に対して生成および保存しなければならないので、著しく過剰な努力が必要である。薬品製造業者は、労働安全衛生局の規則によって、すべての彼らの顧客に無料でペーパーベースの化学物質等安全データシートを配信する義務がある。すべての顧客は、購入した各化学物質に対し、化学物質等安全データシートを受け取らなければならず、それに対応する化学物質等安全データシートを無料で彼らの労働者に利用できるようにしなければならない。その上、製造業者は、自己負担経費でペーパーベースの化学物質等安全データシートをオーサリングし、保存し、かつ配信しなければならない。一方、彼らの顧客は、同じ化学物質等安全データシートを自己負担経費で受け取り、かつ保存しなければならない。このプロセスの実行に関係する負担経費は、製造業者および彼らの顧客の双方にとっても、多額である。現在、化学物質等安全データシートの中心的なレジストリはないけれども、その対応する化学物質等安全データシートが求められている薬品は、１，０００，０００以上ある。
【０００５】
それ故、ある明確な判断基準に従って、自動的に情報オブジェクトをオーサリングし、そのような情報オブジェクトを不変の形式で表現し、不変の内容の情報オブジェクトを配信する必要性があるということが課題である。薬品製造業界は、この課題の本質を表す一例であり、化学物質等安全データシートの例は、情報オブジェクトオーサリングおよび配信システムの動作を説明する目的で用いられ、本明細書に記載されたシステムの範囲を制限するように意図されない。
【課題を解決するための手段】
【０００６】
（解決策）
上述の課題は、固有に特定された不変の化学物質等安全データシートの集中的レポジトリを使用することによって、価値を付加した化学物質等安全データシートを提供する、情報オブジェクトオーサリングおよび配信システム機能によって解決され、技術の進歩が達成される。本システムは、インターネット型パラダイム、および固有に特定された不変のデータ要素の集中レポジトリを使用することによって、価値を付加した化学物質等安全データシートを自動的にオーサリングし、保存し、および配信する。情報オブジェクトオーサリングおよび配信システムは、一組のソフトウェアモジュールを提供する。そのソフトウェアモジュールを、製造業者が化学物質等安全データシートをオーサリングし、保存し、および配信するために使用し得、彼らの顧客が、化学物質等安全データシートを取り出し、保存し、かつ配信するために使用し得る。システムの相互接続が、価値を付加した化学物質等安全データシートのシステムのメンバー間で、商品として購入および販売するために、および政府の規制を順守しているメンバー間の負担経費を低減するために、インターネット型パラダイムの使用を可能にし得る。さらに、情報オブジェクトオーサリングおよび配信システムは、製造業者および製造業者の顧客と、他のメンバーとの相互接続を促進する、サービスおよび製品を供給者が提案して、付加価値サービスを提供し得る。他のメンバーは、ベンダーであり、価値を付加した化学物質等安全データシートに含まれている、情報および要領に関するサービスおよび製品を提供する。
【０００７】
本システムは、製造業者と製造業者の顧客と労働者との間の化学物質等安全データシートの通信に対するオブジェクト指向のフレームワークを用いる。価値を付加した化学物質等安全データシートは、ドキュメントファイルでもデータベースファイルでもなく、命令および命令が動作する情報のシーケンスを含むオブジェクトである。特定の価値を付加した化学物質等安全データシートは、情報が集まったとき、化学物質等安全データシートを含む、多数の不変情報の「ビルディングブロック」を識別する指針を含む。各ビルディングブロックは、データ要素およびそのデータ要素を識別するのみである固有の識別子からなる。
【０００８】
データ要素が固定されるので、これらのデータ要素は更新が不必要であり、特定の薬品に対する新しいバージョンの化学物質等安全データシートは、置き換わるデータ要素を示す固有の識別子を含むが当初のデータ要素は、中央データベースに保存される。それ故、データ要素は、データベースから削除されず、最新のバージョンのデータ要素に、取って代わるのみである。それ故、たとえフォーマットが変化し得るとしても、それぞれの現場で、化学物質等安全データシートの内容は、不変のままである。さらに、新しい化学物質等安全データシートを作成することは、化学物質等安全データシートの関連部分の内容が、データ要素と同等な場合、中央データベースから既存のデータを利用し得る。それ故、新しい化学物質等安全データシートの固有のセグメントのみが、新しいデータ要素の作成を必要とするので、新しい化学物質等安全データシートのオーサリングは、標準化されたデータ要素のレポジトリから恩恵を受け得る。他言語へのデータ要素の翻訳は簡素化される。なぜなら、システムが様々なデータ要素の作成において、標準化された慣用句および他の関連したデータの使用を命ずるからである。さらに、データ要素は、化学物質等安全データシートオブジェクトによって取り出されたデータを、ただフィルタリングすることによって、読み取り専用で化学物質等安全データシートから他のデータベースへ移され得る。この様態で、情報オブジェクトオーサリングおよび配信システムの完全性は保存されるが、その中に含まれたデータは、関連した目的のために、製造業者およびシステムの他のメンバーが利用できる。
【０００９】
化学物質等安全データシートはオーサリングされ、保存され、かつ配信されるので、これらのプロセスに関する該当データおよびこれらのプロセスに関与するエンティティは、パーティを適切に認証することによって、製品およびサービスを識別する際の使用に利用可能である。この製品およびサービスは、これらのプロセスに関与するこれらのエンティティに役立ち得る。特に、化学物質等安全データシートのオーサリング、保存および配信の状況は、化学物質等安全データシートにアクセスするメンバーへ、状況に敏感にリアルタイムで公示するアクセスに関して、化学物質等安全データシートにおいて識別された薬品に関する製品およびサービスを識別するように使用され得る。
【図面の簡単な説明】
【００１０】
【図１Ａ】図１Ａは、情報オブジェクトオーサリングおよび配信システムおよび動作環境の全体的なアーキテクチャをブロック線図の形式で示している。
【図１Ｂ】図１Ｂは、情報オブジェクトオーサリングおよび配信システムおよび動作環境の全体的なアーキテクチャをブロック線図の形式で示している。
【図２】図２は、情報オブジェクトオーサリングおよび配信システムによってオーサリングされ、配信され、かつ保存され得る一般的な情報オブジェクトおよびその内容を示している。
【図３】図３は、情報オブジェクトオーサリングおよび配信システムのメンバーの加入プロセスの動作を流れ図の形式で示している。
【図４】図４は、情報オブジェクトオーサリングおよび配信システムのデータ要素生成プロセスの動作を流れ図の形式で示している。
【図５】図５は、情報オブジェクトオーサリングおよび配信システムの情報オブジェクト生成プロセスの動作を流れ図の形式で示している。
【図６】図６は、情報オブジェクトオーサリングおよび配信システムの情報オブジェクト登録プロセスの動作を流れ図の形式で示している。
【図７】図７は、情報オブジェクトオーサリングおよび配信システムのデータ要素の許可規定プロセスの動作を流れ図の形式で示している。
【図８】図８は、情報オブジェクトオーサリングおよび配信システムの情報オブジェクトのアクセス許可規定プロセスの動作を流れ図の形式で示している。
【図９】図９は、情報オブジェクトオーサリングおよび配信システムのメンバーのアクセスプロセスの動作を流れ図の形式で示している。
【図１０】図１０は、本発明の情報オブジェクトオーサリングおよび配信システム１０の広告オーサリングプロセスの動作をフローチャートの形式で示す。
【図１１】図１１は、本発明の情報オブジェクトオーサリングおよび配信システム１０の広告登録プロセスの動作をフローチャート形式で示す。
【図１２】図１２は、本発明の情報オブジェクトオーサリングおよび配信システム１０の広告アクセスレコードプロセスの動作をフローチャートの形式で示す。
【図１３】図１３は、本発明の情報オブジェクトオーサリングおよび配信システム１０の登録されていない広告取り出しプロセスの動作をフローチャートの形式で示す。
【図１４】図１４は、本発明の情報オブジェクトオーサリングおよび配信システム１０の登録されていない広告取り出しプロセスの動作をフローチャートの形式で示す。
【発明を実施するための形態】
【００１１】
（詳細な説明）
本明細書の目的のために、次の用語を定義する。
【００１２】
メンバーは、本情報オブジェクトオーサリングおよび配信システムの能力にアクセスし、それを利用するために認証された、会社または個人のどちらかのエンティティを含む。
【００１３】
端末デバイスは、パーソナルコンピュータ、持ち運び式コンピュータデバイス、移動体通信デバイス、ワイヤレスコンピュータデバイスまたは他のデータインターフェースデバイスを含む。一般的に、使用される端末デバイスは、携帯電話の能力を有するＷＡＰ、個人用デジタル補助装置、パルムパイロット、パーソナルコンピュータ等または他のいくつかの特化された通信デバイスを含むタイプの全機能型通信デバイスである。
【００１４】
データ要素は、本情報オブジェクトオーサリングおよび配信システムによって用いられる、固有に識別され、かつ不変の形で格納されている一組のデータを含む。
【００１５】
情報オブジェクトは、本情報オブジェクトオーサリングおよび配信システムによって用いられる、固有に識別され、かつ不変の形で格納されている一組の情報を含む。情報オブジェクトに含まれた一組の情報は、多数のそれぞれのデータ要素を含み、そのデータ要素の各々も、内容が不変である。
【００１６】
化学物質等安全データシートは、労働安全衛生局（ＯＳＨＡ）に求められる危険有害性周知情報の集合を含む。危険有害性周知情報は、製造または輸入された全ての化学製品が危険に対して評価され、かつそれらの危険に関する情報が労働者に伝達されることを保証するように設計されている。化学物質等安全データシートの用途が、ＯＳＨＡ以外の国内および海外の関係官庁の機関によって拡張されるので、化学物質等安全データシートは、さらに環境、移送、廃棄物管理、地域社会の知る権利および緊急対策発表に関する関係官庁の機関に関与する情報を含むようにオーサリングされる。
【００１７】
（端末機器および通信環境）
図１Ａおよび１Ｂは、情報オブジェクトオーサリングおよび配信システム１０および一般的な動作環境の全体的な構造のブロック線図を示している。メンバーは、パーソナルコンピュータＴ１，Ｔ２、持ち運び式コンピュータデバイス（示さず）、移動体通信デバイスＴ３、ワイヤレスコンピュータデバイスＴ４または他のデータインターフェースデバイスのうちの１つ以上（本明細書で集合的に「端末機器」と呼ばれる）を一般的に備えている。メンバーの端末機器Ｔ１と本情報オブジェクトオーサリングおよび配信システム１０との間のデータ通信接続は、メンバー端末機器Ｔ１で利用可能な、周知のパーソナルコンピュータモデムおよびインターネットブラウザ技術を用いてインターネット１０３を介し得る。メンバーの端末機器は、相互交換機通信網１００を介して相互接続された多数の地域交換システム１０１、１０２をからなる公衆交換電話網（ＰＳＴＮ）によって、一般に供給される。このデータ通信接続を支える物理的接続は、この中でＩＰ網１０３を称する、そこへ接続もされているインターネットサービスプロバイダ１１２へのデータ通信媒体（例えばインターネット）を介した、公衆交換電話網（ＰＳＴＮ）の地域交換システム１０２を通して、メンバー端末機器Ｔ１から一般的に結ばれる。インターネット１０３も、情報オブジェクトオーサリングおよび配信システム１０のゲートウェイ１２２を供給するインターネットサービスプロバイダ１１１を介して、地域交換システム１０１と接続される。あるいは、移動体通信デバイスＴ３またはワイヤレスコンピュータデバイスＴ４の場合、メンバーの端末機器は、公衆交換電話網（ＰＳＴＮ）へ移動体通信交換局（ＭＴＳＯ）１０４を介して接続される。
【００１８】
情報オブジェクトオーサリングおよび配信システム１０は、少なくとも１つのデータ通信媒体１０３（例えばインターネット）と接続されている。それによって、以下により詳しく記載するように、メンバーは、情報オブジェクトオーサリングおよび配信システム１０を用いてデータ通信接続を取得することが可能である。
【００１９】
さらに、公示ウェブサイトサーバ１３０等の他のコンピュータシステムは、情報オブジェクトオーサリングおよび配信システム１０のサービスを受け得る。公示ウェブサイトサーバは、ファイヤーウォールゲートウェイ１３２、サーバ１３１、端末デバイス（単数または複数）１３３および本明細書で公示データベース１３４と表された大容量格納デバイスを含む。そのようなシステムは、以下に記載されているように、情報オブジェクトオーサリングおよび配信システム１０とともに使用するための公示材料を作成するように、かつ情報オブジェクトオーサリングおよび配信システム１０の動作によって、公示ウェブサイトシステムにリンクされるメンバーに提供されるように使用され得る。
【００２０】
本明細書に示されているリソースは、情報オブジェクトオーサリングおよび配信システム１０の概念を示す目的で選定され、他のネットワークの実装またはシステム構成にこの概念を適用すること制限することを意図されない。
【００２１】
（情報オブジェクトオーサリングおよび配信システムのアーキテクチャ）
情報オブジェクトオーサリングおよび配信システム１０は、認証されないアクセスから情報オブジェクトオーサリングおよび配信システム１０を守るファイアーウォールを含み、インターネットサービスプロバイダ１１１と通信する機能も実装するゲートウェイ１２２を介して、インターネット１０３へ接続されるサーバ１２１から成る。情報オブジェクトオーサリングおよび配信システム１０は、後述するように、多数のデータベースを含む。これらのデータベースは、メンバーデータベース１２３、登録データ要素データベース１２４、登録情報オブジェクトデータベース１２５、登録公示データベース１２６、追跡／請求書生成データベース１２７、公示の関連データベース１２８およびソフトウェアデータベース１２９を含むが、これらに制限されない。本明細書で触れるデータベースは、情報オブジェクトオーサリングおよび配信システム１０の説明を単純化する機能によって、制限されない。しかし、これらのデータベースは、単一の物理的データベース内で実装されてもよいし、本明細書に示されているより、さらに少ないか、または、さらに多い数のデータベース内で実行されてもよい。そのような選択は、単に工業技術の選別の問題であり、本明細書に開示された概念に関係しない。同様に、１つサーバ１２１は、本明細書に示され、認証サーバ１４１、追跡／請求書生成サーバ１４２、オーサリングサーバ１４３、メンバーアクセスサーバ１４４、公示サーバ１４５等の多数のソフトウェアモジュールを実行する。しかし、複数のサーバが、このタスクを実行するために用いられ得る。それ故、本明細書に開示されている情報オブジェクトオーサリングおよび配信システム１０は、指定の参加者へ記載された機能を提供する、多くの可能な実施のうちの１つを表している。
【００２２】
（情報オブジェクトおよびデータ要素）
図２は、情報オブジェクトオーサリングおよび配信システムによって、オーサリングされ、配信され、かつ保存され得る、一般的な情報オブジェクトおよびその内容を示している。特に、情報オブジェクト２００は、情報オブジェクト２００を指定する固有の識別子２０１、および多数のデータ要素２１１〜２１６を含む。各データ要素２１１〜２１６自体は、対応する固有の識別子２２１〜２２６によって識別される。情報オブジェクト２００は、本明細書に記載されているフォーマットデータ、許可データ等の他のデータ２０２も含み得る。特定の情報オブジェクト２００と結び付いたデータ要素２１１〜２１６は、一般的に、情報オブジェクト２００から、別のファイルシステムに格納され、データ要素固有の識別子２２１〜２２６を含むポインタを用いてリンクされる。
【００２３】
（情報オブジェクトオーサリングおよび配信システムの動作）
図３〜１３は、情報オブジェクトオーサリングおよび配信システム１０の動作を流れ図の形式で示している。本明細書に記載の情報オブジェクトオーサリングおよび配信システム１０のアーキテクチャは、情報オブジェクトオーサリングおよび配信システム１０およびその動作環境の通常の実施を表し、このシステムは、添付の特許請求の範囲に明示されているような潜在的な概念の範囲を制限することを意図されない。
【００２４】
（メンバー登録プロセス）
図３は、情報オブジェクトオーサリングおよび配信システム１０のメンバー登録プロセスの動作を流れ図の形式で示している。ステップ３０１で、端末デバイスＴ１に位置する見込まれるメンバーは、メンバーの端末デバイスＴ１を作動させることによって録プロセスを開始し、情報オブジェクトオーサリングおよび配信システム１０の通信接続を構築する。一旦上述のようにそのシステムへ接続されれば、情報オブジェクトオーサリングおよび配信システム１０は、ステップ３０２において、固有に番号を付けられた登録および契約の形式（図示せず）を生成し、ステップ３０３において、端末デバイスＴ１の見込まれるメンバーへ、通信接続を介してこの形式を転送する。それによって、見込まれるメンバーが、情報オブジェクトオーサリングおよび配信システム１０によって提供されるサービスを受ける加入者になり得る。固有に番号を付けられた登録および契約の形式を用いることにより、情報オブジェクトオーサリングおよび配信システム１０が、見込まれるメンバーに会員の規定の規約および条件を示し得、情報オブジェクトオーサリングおよび配信システム１０へ登録目的でアクセスする、見込まれるメンバーを追跡し得る。このことは、メンバー管理プロセスを簡略化する。なぜなら、登録目的で情報オブジェクトオーサリングおよび配信システム１０にアクセスする、各々の見込まれるメンバーは、この識別子によって固有に特定され、残存するメンバー情報は、請求および識別目的で用いられ得る。それ故、多数のサイトを有する企業は、混乱なく個々に各々のサイトを登録し得る。なぜなら、企業名が、メンバーの限界で、登録および契約のフォームに割り当てられる固有のアイデンティファイケーションがメンバーが限界であるからである。
【００２５】
ステップ３０４において、見込まれるメンバーは、登録および契約のフォームのデータエントリ領域を完成させ、かつ情報オブジェクトオーサリングおよび配信システム１０へ完了したフォームを転送することによって、要求された情報を提供する。ステップ３０５において、情報オブジェクトオーサリングおよび配信システム１０は、二重または同一の名をもつメンバーを含む他の全てのメンバーから、この見込まれるメンバーを識別し、かつ見分けるように、固有の登録番号を生成する。ステップ３０６において、情報オブジェクトオーサリングおよび配信システム１０は、登録および契約のフォームが適切に完成したかどうかをチェックする。完成していない場合、プロセスがステップ３０７へ分岐し、そこで、適切なエラーメッセージが、見込まれるメンバーに返されて、フォームの完成が不適切であることを示す。なお、登録のプロセスがこの時点で打ち切られ、いくらかの登録の費用が返される。なぜなら登録が効果を有していないからである。登録フォームが正しく完成した場合、図４に示されるプロセスを用いて、ステップ３０８へプロセスが進み、見込まれるメンバー名および固有の登録番号が会員データベース１２３に入力される。さらに、多数のサイトを有する企業は、登録および契約のフォームを割り当てられた固有の識別子が限界であるので、混乱なく個々に各々のサイトを登録し得る。
【００２６】
図４に示されるプロセスが見込まれるメンバーの名前を拒絶する場合、プロセスは３０７に戻る。ここで、適切なエラーメッセージが見込まれるメンバーに返され、品質基準の違反を示す。なお、登録プロセスがこの時点で終了する場合、いくらかの登録料金が返される。なぜなら、登録が効果を有していないからである。見込まれるメンバーの名前を受け取ることができる場合、ステップ３０９において、情報オブジェクトオーサリングおよび配信システム１０は、登録および合意のフォ−ムを承認して、ユーザ名およびパスワードをこの新規のメンバーに割り当て情報オブジェクトオーサリングおよび配信システム１０の将来のアクセスを可能にする。ステップ３１０において、情報オブジェクトオーサリングおよび配信システム１０は、登録および合意のフォ−ムによるメンバーによって入力された全登録データを預け、堅実な状態の初期のエントリをメンバーシップデータベース１２３に入れる。送り状は、追跡／請求データベース１２７に対して生成され、登録料金用にメンバを借方に記入する。メンバーが送り状、デビット（ｄｅｂｉｔ）、使用料、メンバーシップ期限、およびメンバーシップに関連する他の料金を情報オブジェクトオーサリングおよび配信システム１０に適宜支払うことができない場合、メンバーシップデータベース１２３への堅実な状態のエントリを打つこととなる。
【００２７】
ステップ３１１において、情報オブジェクトオーサリングおよび配信システム１０は、堅実な状態の知らせを登録がうまくいったメンバーに送信して、ステップ３０９で生成されたユーザ名およびパスワードをメンバーに伝達する。さらに、情報オブジェクトオーサリングおよび配信システム１０は、ソフトウェアデータベース１２９からソフトウェアモジュールをメンバー端末デバイスＴ１にダウンロードする。このメンバー端末デバイスＴ１は、メンバーがタスク（メンバーがこのタスクを購読している）を実行することが可能であるために必要である。以下に記載されるように、メンバークライアントソフトウェア、オーサリングクライアントソフトウェア、アドバタイザークライアントソフトウェア（これらに制限されない）を含む多くのソフトウェアモジュールが存在する。これらのモジュールの各々は、メンバーが可能とされる基本的な機能に対応する。登録プロセスは、次いでステップ３１２で出る。
【００２８】
（データ要素作成プロセス）
図４は、情報オブジェクトオーサリングおよび配信システム１０のデータ要素作成プロセスを流れ図の形式で示す。データ要素を作成することを認証されたメンバーは、情報オブジェクトが必要とした製品の製造業者である。従って、化学物質等安全データシートの例では、薬品製造業者は、製造された各薬品に対して化学物質等安全シートを製造するための規定された規約を介する義務がある。このプロセスに関わる他のものを認証することは不適切である。なぜなら、偽のデータ要素の作成により、システムがだめになるからである。従って、ステップ５０２において、メンバーが情報オブジェクトオーサリングおよび配信システム１０にアクセスする場合、メンバーのアイデンティティは、認証サーバ１４１によってステップ５０３においてチェックされ、認証メンバーデータベース１２３に対して、このメンバーが堅実な状態および許可を有して、図４に示されたプロセスをアクセスすることによって、ステップ５１２において更なるデータ要素を作成することを保証する。ステップ３０８において、メンバー名を予め規定されたデータ要素として作成する制限する限られた目的のために、見込みのあるメンバーは、また、図４に示されたプロセスにアクセスし得る。
【００２９】
ステップ４０２において、ステップ５１２のデータ要素を作成するプロセスにおいて、メンバーは、端末デバイスＴ１で実行するオーサリングクライアントソフトウェアモジュールを用いて、データ要素のカテゴリーを識別して選択し、提案されたコンテンツをこのデータ要素に提出する。ステップ４０２において、見込みのあるメンバーは、メンバー名を予め規定されたデータ要素としてステップ３０８で作成するプロセスにおいて、メンバー名のデータ要素に対する特定のカテゴリーを識別して選択することのみを認証サーバ１４１によって許可される。どちらの場合も、カテゴリー情報は、図２に示された様々なデータエントリフィールドのいずれかを示し、この特定のドラフトデータ要素の配置用に選択される。通常、これらのデータエントリフィールド間には差が存在し、情報オブジェクトオーサリングおよび配信システム１０によって実行された検証プロセスは、提案されたドラフトデータ要素を、システムデータベースに格納されたこのカテゴリーの他の全データ要素に関連付ける。
【００３０】
従って、ステップ４０３において、情報オブジェクトオーサリングおよび配信システム１０のオーサリングサーバ１４３は、ドラフトデータ要素をレビューして、コンテンツパーシングレビュープロセスを用いて、そのドラフトデータ要素に含まれる言語が承認されたフォーマットおよびコンテンツであるかどうかを判定し、ドラフトデータ要素の言語を承認された用語の辞書と比較する。さらに、選択されたカテゴリーが画像データを受領する場合、画像データは、適切なコンテンツおよびコーディングとしてレビューされる。このフォーマットは、同様にチェックされて、十分なおよび完全な情報が提供されたことを保証する。コンテンツチェックがドラフトデータ要素中の任意の傷を見分ける場合、ステップ４０６において、メッセージはメンバーに戻されて、拒絶の理由に関する適切な注記によってドラフトデータ要素を拒絶する。ステップ４０４において、ドラフトデータ要素が承認される場合、コンテンツは、データ要素コンテンツがメンバ名に対応するかどうかを判定するためにレビューされる。対応する場合、プロセスがステップ４１０に分岐して、メンバ名データ要素作成プロセスのサブルーチンがアクティブにされる。このサブルーチンは、１つ以上の情報オブジェクトを作成するために用いられるメンバ名を含む標準不変データ要素を作成する。なぜなら、メンバ名は、オーサが作成する各情報オブジェクトに現れるからである。ステップ４１１において、見込みのメンバーは、ステップ３０５で割り当てられた固有の登録番号を入力して、ステップ４１２において、情報オブジェクトオーサリングおよび配信システム１０は、識別子としての固有の登録番号を見込みのメンバー名データ要素に割り当てる。ステップ４１３において、見込みのメンバー名および登録されたデータ要素の識別子は、メンバーシップデータベース１２３に永続的に追加され、ステップ４１４でサブルーチンが終了し、プロセスが抜ける。
【００３１】
ステップ４０４において、ドラフトデータ要素がメンバー名で有る場合、プロセスは、ステップ４０５に進む。ここで、ドラフトデータ要素は、オーサリングサーバ１４３によって、このカテゴリーにおける全ての以前に登録されたデータ要素と比較され、ドラフトデータ要素が以前のデータ要素と二重ではないことを保証する。二重である場合、ステップ４０６において、メッセージがメンバーに返され、拒絶の理由に関する適切な注記と共にドラフトデータ要素を拒絶する。二重ではない場合、ステップ４０７において、情報オブジェクトオーサリングおよび配信システム１０のオーサリングサーバ１４３は、固有の登録されたデータ要素識別子を生成して、これをドラフトデータ要素に割り当て、ステップ４０８において、情報オブジェクトオーサリングおよび配信システム１０は、データ要素を他の言語に変換して、言語の識別子をデータ要素の各変換に添付する。次いで、プロセスは、ステップ４０９に進む。ここで、この新規に作成されたデータ要素は、その対応する固有の識別子と共に、登録されたデータ要素データベース１２４に永続的に追加される。このプロセスは、次いでステップ４１４において終了する。
【００３２】
（情報オブジェクト作成プロセス）
図５は、情報オブジェクトオーサリングおよび配信システム１０の情報オブジェクト作成プロセスの動作を流れ図の形式で示す。情報オブジェクトを作成するために認証されたメンバーは、情報オブジェクトが必要とした製品を製造する製造業者である。従って、化学物質等安全データシートの例では、薬品製造業者は、製造された各薬品に対して化学物質等安全シートを製造するための規定された規約を介する義務がある。このプロセスに関わる他のものを認証することは不適切である。なぜなら、偽のデータ要素の作成により、システムがだめになるからである。従って、ステップ５０１において、メンバーが情報オブジェクトオーサリングおよび配信システム１０にアクセスする場合、ステップ５０２においてオーサリングシステムログインプロセスを実行する。メンバーのアイデンティティは、認証サーバ１４１によってステップ５０３においてチェックされ、認証メンバーデータベース１２３に対して、このメンバーが堅実な状態のメンバーであり、図５に示されたプロセスにアクセスするオーサリング許可を有することを保証する。このメンバーが堅実な状態のメンバーではない場合、ステップ５０４で情報オブジェクトオーサリングおよび配信システム１０がログアウトする。
【００３３】
メンバーが堅実な状態の場合、情報オブジェクトオーサリングおよび配信システム１０は、メンバーをこのプロセスに対する「オーサー」と認定して、ステップ５０５に進む。ここでは、オーサリングクライアントソフトウェアモジュールは、メンバの端末デバイスＴ１を実行して、ソフトウェアのバージョンを識別するようにチェックされる。これにより、情報オブジェクトオーサリングおよび配信システム１０を実行するオーサリングセッションは、メンバーのソフトウェアに互換性を有し得る。ステップ５０６において、メンバーは、登録されていないまたはドラフト情報オブジェクトを作成することによって情報オブジェクトに対するオーサリングプロセスを開始する。ステップ５０７において、情報オブジェクトオーサリングおよび配信システム１０のオーサリングサーバ１４３は、様々な基本情報（例えば、メンバーによって自由契約にされている名前、および、この情報オブジェクトを作成するために用いられるソフトウェアバージョンの識別子）を登録されていない情報オブジェクトに挿入する。メンバーは、ステップ５０８において、この情報オブジェクトを用いて利用可能な様々なフォーマットを識別して、情報オブジェクトを取り出す様々なメンバーは、それらを用いるためにフォーマットされたものを取り出す。このフォーマットは、ドキュメントバージョンと呼ばれる。従って、化学物質等安全データシートの場合、労働者バージョン、産業衛生バージョン、医療プロフェッショナルバージョン等が有り得る。ステップ５０９において、メンバーは、以前に格納されたデータ要素（このコンテンツは、メンバー名である）に対応するメンバーシップデータベース１２３からデータ要素を選択することによってそれらの名前を選択する必要がある。オーサリングサーバ１４３は、ステップ５１０において、メンバーが情報オブジェクトへのアクセスに対する許可、および、情報オブジェクトに関連する付属のサービスに対する許可を設定可能である。ステップ５１１において、ステップ５０９〜５１０で選択されたこれらのデータ要素は、情報オブジェクトに書き込まれ、ステップ５１２において、メンバーは、図４のプロセスを用いてさらなるデータ要素を作成し得る。ステップ５１３〜５１４において、メンバーは、情報オブジェクトに挿入するために、登録されたデータ要素データベース１２４で発見された以前に作成されたデータ要素を用いる必要がある。
【００３４】
ステップ５１５において、情報オブジェクトオーサリングおよび配信システム１０の追跡／請求サーバ１４２は、会費である任意の料金を計算し、この情報を追跡／請求データベース１２７に入力する。メンバーは、ステップ５１６において、必要な全てのデータ要素が情報オブジェクトに挿入されたかどうかを判定する。挿入されていない場合、プロセスは、このような挿入に対してステップ５１２に戻る。全ての必要なデータ要素が提供される場合、処理はステップ５１７に進む。ここで、メンバーは、この登録されていない情報オブジェクトに対する許可を設定して、登録のために、ステップ５１８において登録されていない情報オブジェクトを送信する。これにより、この登録されていない情報オブジェクトは、登録オブジェクトになるように処理され得、プロセスは、ステップ５１９で抜ける。
【００３５】
（情報オブジェクト登録プロセス）
図６は、情報オブジェクトオーサリングおよび配信システム１０の情報オブジェクト登録プロセスの動作を流れ図の形式で示す。ステップ６０１において、登録されていない情報オブジェクトは、図５に関して説明されたプロセスを用いて作成され、登録のために情報オブジェクトオーサリングおよび配信システム１０に提出される。ステップ６０２において、オーサリングサーバ１４３は、適切なコンテンツ、フォーマットおよび許可のために登録されていない情報オブジェクトをチェックする。コンテンツおよびフォーマットが適切である場合、ステップ６０３において、情報オブジェクトオーサリングおよび配信システム１０のオーサリングサーバ１４３は、固有の情報オブジェクトアイデンティフィケーションを生成して、これをメンバーによって作成されたファイル名と交換する。ステップ６０４において、情報オブジェクトオーサリングおよび配信システム１０のオーサリングサーバ１４３は、情報オブジェクトに日付および時間をスタンプして、登録プロセスを完成させ、ステップ６０５において不変のフォ−ムで登録された情報オブジェクトを情報オブジェクトデータベース１２５に格納する。ステップ６０６において、情報オブジェクトオーサリングおよび配信システム１０は、追跡／請求データベース１２７を更新して、この情報オブジェクトを登録するコストのメンバーの会計を借方に記入する。このプロセスは、ステップ６０７で抜ける。
【００３６】
（データ要素許可規定プロセス）
図７は、情報オブジェクトオーサリングおよび配信システム１０のデータ要素許可規定プロセスの動作を流れ図の形式で示す。図５の情報オブジェクト作成プロセスの上記の説明において、メンバーは、登録された情報オブジェクトのデータ要素を用いるために許可を設定し得る。図７に示されたプロセスは、許可作成プロセスを詳説する。詳細には、ステップ７０１において、メンバーは、登録されていない情報オブジェクトの識別されたデータ要素に対する複数の許可のうちの少なくとも１つを選択する。ステップ７０２において、情報オブジェクトオーサリングおよび配信システム１０は、このデータ要素が所定のウェブサイトにハイパーリンクされることを示すかどうかを決定する。示す場合、ウェブサイトＵＲＬは、ステップ７０３においてメンバーによって入力され、プロセスは、以下に説明されるようにステップ７０６に進む。
【００３７】
メンバーが選択されたデータ要素をウェブサイトにリンクしない場合、ステップ７０４において、データ要素がＥメールアドレスにハイパーリンクされるかどうかが判定される。リンクする場合、ステップ７０５において、メンバーは、Ｅメールアドレスデータを入力して、プロセスがステップ７０６に進む。ハイパーリンクが設定されない場合、プロセスもステップ７０６に進む。ステップ７０６において、情報オブジェクトオーサリングおよび配信システム１０は、ステップ５０８においてメンバーによって規定されたデータ要素の特定のドキュメントバージョンに従って、データ要素がビュー可能であるかどうかを判定する。ビュー可能である場合、ステップ７０８において、規定されたどのドキュメントバージョンにおいて、データ要素がビュー可能であるかをメンバーが識別する。ステップ７０７において、メンバーによって選択がなされる場合、プロセスはステップ７０８に進む。ここで、データ要素が全てのドキュメントバージョンにおいてビュー可能であるというデフォルトが設定され、プロセスがステップ７０９で抜ける。
【００３８】
（情報オブジェクト許可定義プロセス）
図８は、本発明の情報オブジェクトオーサリングおよび配信システム１０の情報オブジェクトアクセス許可定義プロセスの動作をフローチャートの形式で示す。ステップ８０１において、メンバは、選択された情報オブジェクトに対するアクセス許可を設定するプロセスを開始する。ステップ８０２において、メンバは、任意のアクセスが許可されているかどうかを識別する。他のメンバがこの情報オブジェクトにアクセスすることを許可されていない場合、処理はステップ８０５に進む。ステップ８０５では、情報オブジェクトは、あらゆる他のメンバが利用可能でないこと記述され、処理はステップ８０８で終了する。メンバがいくつかの形式のアクセスが許可されていることを記述している場合、ステップ８０３において、メンバは、Ｍｅｍｂｅｒｓｈｉｐ  Ｄａｔａｂａｓｅ１２３からのみ引き出された制限されたセットが情報オブジェクトにアクセスし得るかどうかを識別し得る。アクセスし得る場合、処理は、ステップ８０６に進む。ステップ８０６では、メンバは、Ｍｅｍｂｅｒｓｈｉｐ  Ｄａｔａｂａｓｅ１２３のみを利用して、この情報オブジェクトにアクセスすることが認証されている選択された他のメンバを識別し、情報オブジェクトオーサリングおよび配信システム１０は、認証されたアクセスメンバのこのリストにより情報オブジェクトを設定する。処理は、その後、ステップ８０８で終了する。メンバがこの情報オブジェクトへのアクセスを制限する場合、ステップ８０４において、情報オブジェクトオーサリングおよび配信システム１０は、ステップ６０１〜６０７で情報オブジェクトをある印により登録する。この印は、全てのメンバがこの情報オブジェクトにアクセスし得ることを示す。その後、処理８０８に進む。
【００３９】
（メンバアクセスプロセス）
図９は、本発明の情報オブジェクトオーサリングおよび配信システム１０のメンバアクセスプロセスの動作をフローチャートの形式で示す。ステップ９０１において、メンバが情報オブジェクトオーサリングおよび配信システム１０にアクセスし、ステップ９０２において、メンバアクセスシステムログインプロセスを実行する場合、メンバのアイデンティティは、ステップ９０３において認証サーバ１４１によって認証されたメンバデータベース１２３に対してチェックされ、このメンバが堅実な状態（ｇｏｏｄ  ｓｔａｎｄｉｎｇ）にあるメンバであり、図９に示されるプロセスにアクセスする許可を有していることを保証する。そうでなければ、ステップ９０４において、情報オブジェクトオーサリングおよび配信システム１０は、ログアウトする。
【００４０】
メンバが堅実な状態にある場合、情報オブジェクトオーサリングおよび配信システム１０は、ステップ９０５に進む。ステップ９０５では、メンバサーバ１４４は、メンバおよび情報オブジェクトの両方に対する許可の所定のセットを利用して、メンバに情報オブジェクトデータベース１２５へのアクセス権を提供する。ステップ９０６において、メンバは、ステップ９０７において、取り出しのための情報オブジェクトおよび情報オブジェクトのドキュメントバージョンの一方を選択する。情報オブジェクトオーサリングおよび配信システム１０は、ステップ９０８において、選択された情報オブジェクトを取り出し、ステップ９０９において、メンバの端末デバイスＴ１において実行しているソフトウェアのバージョンを選択された情報オブジェクトに該当するように規定されたバージョンと一致させる。ステップ９１０において、メンバアクセシングサーバ１４４は、取り出された情報オブジェクトに関連する広告許可をレビューして、ステップ９１１において、選択された情報オブジェクトについてメンバに提示するためのこれらの広告を取り出す。ステップ９１２において、メンバアクセスソフトウェアは、メンバの情報オブジェクトへのアクセスを記録して、トラッキング／支払いデータベース１２７へのメンバのエントリを更新して、ステップ９１３において、情報オブジェクトの取り出しに対してメンバに請求する。ステップ９１４において、情報オブジェクトオーサリングおよび配信システム１０のトラッキング／支払いサーバ１４２は、トラッキング／支払いデータベース１２７にこの情報オブジェクトを認証したメンバを示すデータを格納し、この情報オブジェクトの取り出しによって獲得した収益のそれぞれのシェアを示す量によりオーサリングメンバを信用する。ステップ９１５において、情報オブジェクトオーサリングおよび配信システム１０は、メンバがこの情報オブジェクトの別のドキュメントバージョンを観ることを望むかどうかを判定し、望むのであれば、上述のステップ９０７に戻る。望まないのであれば、処理はステップ９１６に進む。ステップ９１６では、メンバは、この情報オブジェクトアクセスセッションを終了し、広告データオブジェクトは、ステップ９１７において、抹消され、ステップ９１８において、処理を完了する。
【００４１】
（広告オーサリングプロセス）
図１０は、本発明の情報オブジェクトオーサリングおよび配信システム１０の広告オーサリングプロセスの動作をフローチャートの形式で示す。メンバが、ステップ１００１において、情報オブジェクトオーサリングおよび配信システム１０にアクセスし、ステップ１００２において、ログインプロセスを実行する場合、メンバのアイデンティティは、ステップ１００３において、認証されたメンバデータベース１２３に対して認証サーバ１４４によってチェックされ、このメンバが堅実な状態にあるメンバであり、図１０に示される広告オーサリングプロセスへアクセスする許可を有していることを保証する。そうでなければ、ステップ１００４において、情報オブジェクトオーサリングおよび配信システム１０はログアウトする。
【００４２】
メンバが堅実な状態にある場合、情報オブジェクトオーサリングおよび配信システム１０は、ステップ１００５に進み、ステップ１００５において、情報オブジェクトオーサリングおよび配信システム１０の広告サーバ１４５（または、代替としてオーサリングサーバ１４３）は、メンバのソフトウェアのバージョンを現在情報オブジェクトオーサリングおよび配信システム１０上で実行しているバージョンに調和させる。ステップ１００６において、メンバは、登録されていない、またはドラフト広告データオブジェクトを作成することによって、広告のためのオーサリングプロセスを開始する。ステップ１００７において、情報オブジェクトオーサリングおよび配信システム１０のオーサリングサーバ１４５は、登録されていない広告データオブジェクト内に、メンバによって作成されたファイル名および広告データオブジェクトを作成するために利用されたソフトウェアバージョンを挿入する。ステップ１００８において、メンバは、メンバシップデータベース１２３からデータエレメントを選択することによって、メンバ名を選択しなければならない。選択されたデータエレメントは、コンテンツがメンバ名である既に格納されているデータエレメントに対応する。ステップ１００９において、広告サーバ１４５は、メンバが広告メッセージを作成することを可能にし、これを登録されていない広告データオブジェクトに挿入する。ステップ１０１０において、メンバは、データエレメントデータベース１２４を検索して、登録されていない広告データオブジェクトに関連し得る様々なデータエレメントを識別し、ステップ１０１１において、これらのデータエレメントを識別するデータを広告データオブジェクトに挿入する。ステップ１０１２において、メンバは、広告データオブジェクトが終了しているかどうかを判定する。終了していなければ、処理はステップ１００９に戻り、終了していれば、処理はステップ１０１３に進む。ステップ１０１３では、広告メンバは、この広告データオブジェクトに対する許可を設定する。ステップ１３０５、１３０６、１３０７を参照されたい。これらのステップでは、メンバによって設定された許可が、ステップ１３１０において広告データオブジェクトの取り出し、または、ステップ１３１２において広告関連レコードの消去が行われたかどうかを判定する。ステップ１０１４において、メンバは、登録する登録されていない広告データオブジェクトを情報オブジェクトオーサリングおよび配信システム１０に提出し、広告オーサリングプロセスは、ステップ１０１５において終了する。
【００４３】
（広告登録プロセス）
図１１は、本発明の情報オブジェクトオーサリングおよび配信システム１０の広告登録プロセスの動作をフローチャート形式で示す。図１０に規定されたプロセスを介して作成された登録されていない広告データオブジェクトは、図１１のプロセスを利用して登録のために処理される。特にステップ１１０１において、登録されていない広告データオブジェクトは、登録のために、情報オブジェクトオーサリングおよび配信システム１０に対して提出され、ステップ１１０２において、広告サーバ１４５は、登録されていない広告データオブジェクトが適切なコンテンツ、形式、および許可を有しているかどうかをチェックする。コンテンツおよび形式が適切である場合、ステップ１１０３において、情報オブジェクトオーサリングおよび配信システム１０の広告サーバ１４５は、固有の広告データオブジェクトの識別を生成し、これをメンバによって作成されたファイル名に対して代用する。ステップ１１０４において、情報オブジェクトオーサリングおよび配信システム１０の広告サーバ１４５は、日付および時間を広告データオブジェクトにスタンプする。ステップ１１０５において、広告サーバ１４５は、ステップ１１０３において挿入された固有の広告データオブジェクトの識別、ステップ１１０４において挿入された日付および時間のスタンプ、ステップ１０１１において挿入された検索基準、ステップ１００９において挿入された広告メッセージ、ならびにステップ１０１３において挿入された許可を、登録された広告データベース１２６に不変の形式で格納する。ステップ１１０６において、広告サーバ１４５は、広告関連データベース１２８に広告データオブジェクトのレコードを生成する。ステップ１１０７において、情報オブジェクトオーサリングおよび配信システム１０は、トラッキング／支払いデータベース１２７を更新して、この広告データオブジェクトを登録するコストをメンバのアカウントに請求する。このプロセスは、ステップ１１０８で終了し、図１０に規定されるプロセスに戻る。
【００４４】
（広告アクセスレコードプロセス）
図１２は、本発明の情報オブジェクトオーサリングおよび配信システム１０の広告アクセスレコードプロセスの動作をフローチャートの形式で示す。このプロセスは、上述のステップ１１０６からステップ１２０１で開始する。ステップ１２０２において、広告サーバ１４５は、ステップ１１０５で登録されるＡｄｖｅｒｔｉｓｉｎｇ  Ｄａｔａ  Ｏｂｊｅｃｔに対してステップ１０１１で入力される検索基準を利用して、Ｒｅｇｉｓｔｅｒｅｄ  Ｉｎｆｏｒｍａｔｉｏｎａｌ  Ｏｂｊｅｃｔデータベース１２５の検索を実行する。ステップ１２０３において、ステップ１０１１で入力された検索基準に整合するＲｅｇｉｓｔｅｒｅｄ  Ｉｎｆｏｒｍａｔｉｏｎａｌ  Ｏｂｊｅｃｔが、それぞれの固有の識別子によって整理され、かつリスト化される。ステップ１２０４において、ステップ１２０３の整合する固有の識別子の各々は、ステップ１１０５で登録される広告データオブジェクトの固有のシリアル識別子に関連付けられる。ステップ１２０５において、関連付けられたステップ１２０４の情報は、ステップ１３０３、１３０４、１３０５、１３０６、および１３０７の処理をスピードアップさせるために、広告関連データベース１２８に記録される。ステップ１３０３、１３０４、１３０５、１３０６、および１３０７の処理は、ステップ１０１３において入力された許可によって判断されるＲｅｇｉｓｔｅｒｅｄ  Ａｄｖｅｒｔｉｓｉｎｇ  Ｄａｔａ  Ｏｂｊｅｃｔの効果を終了したままである。ステップ１２０５の終了時、またはステップ１２０２においてＲｅｇｉｓｔｅｒｅｄ  Ｉｎｆｒｏｍａｔｉｎａｌ  ＯｂｊｅｃｔがＲｅｇｉｓｔｅｒｅｄ  Ａｄｖｅｒｔｉｓｉｎｇ  Ｄａｔａ  Ｏｂｊｅｃｔの基準と整合しない場合に、ステップ１１０６は、終了するべきであると判断され、ステップ１２０６から１１０７まで戻る。
【００４５】
（登録された広告取り出しプロセス）
図１３および図１４は、本発明の情報オブジェクトオーサリングおよび配信システム１０の登録されていない広告取り出しプロセスの動作をフローチャートの形式で示す。メンバが情報オブジェクトを取り出す場合、登録されていない広告データオブジェクトは、上述のように、ステップ９１０で取り出され得る。この取り出しプロセスは、ステップ１３０１において開始し、ステップ１３０２において、メンバのクライアントソフトウェアは、データを情報オブジェクトオーサリングおよび配信システム１０に送信して、選択される情報オブジェクトを、取り出される情報オブジェクトの形式、ならびに広告クライアントソフトウェアを識別する。ステップ１３０３の広告サーバは、広告関連データベース１２８にメンバによって選択された情報オブジェクトに整合する固有の情報オブジェクト識別子が存在するかどうかを判定する。存在しなければ、処理はステップ１３１５において終了する。
【００４６】
広告サーバ１４５は、メンバによって選択される情報オブジェクトと広告関連データベ
ース１２８のレコードとの間の整合を検出し、ステップ１３０４において、メンバの端末デバイス上で実行する広告クライアントと識別される広告に対して規定されたクライアントとの間のソフトウェアの互換性がチェックされ、互換性がないことが検出された場合、ステップ１３１２において、広告サーバ１４５は、広告関連のレコードを消去し、ステップ１３１３において、レコードの消去についてアドバタイザーに通知する。ステップ１３１４において、広告サーバ１４５は、他の整合が発生したかどうかを判定し、発生していなければ、処理は、ステップ１３１５において終了する。別の整合が発生していた場合、処理はステップ１３０４に戻る。ステップ１３０４においてソフトウェアに互換性があることが判定された場合、ステップ１３０５〜１３０７において、広告サーバは、広告がステップ１０１３において入力された許可に従って満了したかどうかを判定する。満了していなければ、処理は、ステップ１３０８に進む。ステップ１３０８において、アドバタイザーが識別され、それらの状態が判定される。アドバタイザーが堅実な状態にない場合、または広告が満了していた場合、上述のように、処理はステップ１３１２に進む。その他の場合、処理はステップ１３０９に進む。ステップ１３０９では、識別された広告データオブジェクトは、広告データベース１２６に位置付けられ、ステップ９１１におけるメンバへの提示のために、ステップ１３１０において取り出される。ステップ１３１１では、広告サーバ１４５は、トラッキング／支払いデータベース１２７を更新して、広告の利用の手数料を記述する。上述のように、その後、処理はステップ１３１４に進む。
【００４７】
（要旨）
情報オブジェクトオーサリングおよび配信システムは、情報オブジェクトおよび関連するデータエレメントのオーサリング、メンテナンス、および配信を自動化する。さらに、情報オブジェクトオーサリングおよび配信システムは、製品の製造者およびそれぞれのメンバと、関連するサービスを提供するほかのベンダーとの相互接続を容易にすることによって、付加価値のサービスを提供し得る。
【図１Ａ】
2012059306.tif 000003
【図１Ｂ】
2012059306.tif 000004
【図２】
2012059306.tif 000005
【図３】
2012059306.tif 000006
【図４】
2012059306.tif 000007
【図５】
2012059306.tif 000008
【図６】
2012059306.tif 000009
【図７】
2012059306.tif 000010
【図８】
2012059306.tif 000011
【図９】
2012059306.tif 000012
【図１０】
2012059306.tif 000013
【図１１】
2012059306.tif 000014
【図１２】
2012059306.tif 000015
【図１３】
2012059306.tif 000016
【図１４】
2012059306.tif 000017